(57)【要約】【課題】  多機能放熱シートの提供。【解決手段】  本考案の多機能放熱シートは、電子製品を置いて放熱を行なう座体内に排熱、送風用のファン装置が設けられ、並びに座体側辺にソケットシートが設けられて電子製品の電源或いはケーブルの差し込みに供される。本考案は有効に電子製品動作時に発生する廃熱を排除し、並びにその線路の接続に便利で、使用者に向けて送風して涼しさを提供し、空気清浄装置を組合せ可能であり、排熱、送風と共に空気清浄機能を有し、多機能の目的を達成する。【選択図】        図１
0003147210.tif 000002
【実用新案登録請求の範囲】
【請求項１】
電子製品を置いて放熱を行なう座体内に排熱、送風用のファン装置が設けられた多機能放熱シートにおいて、
該座体は電子製品の放置に供され、該座体の側辺に少なくとも一つの通風孔が設けられ、並びに座体の使用者に対向する前側に送風口が設けられ、該ファン装置が排熱ファンと送風ファンを包含し、該排熱ファンは該座体の上部下方に固定され、該座体内の空気を該座体の上部に向けて吹き送り、該送風ファンは該座体の該送風口部分に設置されたことを特徴とする、多機能放熱シート。
【請求項２】
請求項１記載の多機能放熱シートにおいて、電子製品の線路を接続できるソケットシートを具え、該ソケットシートが電子製品のケーブルの接続用のケーブルソケットと、電子製品の電源線の接続用の電源ソケットの少なくとも一方を具えたことを特徴とする、多機能放熱シート。
【請求項３】
請求項１記載の多機能放熱シートにおいて、該座体の側辺にファン装置とソケットシートの電気回路の動作を制御する制御ユニットが設けられたことを特徴とする、多機能放熱シート。
【請求項４】
請求項３記載の多機能放熱シートにおいて、該制御ユニットに電気回路の導通或いは切断を制御する押しボタン部が設けられたことを特徴とする、多機能放熱シート。
【請求項５】
請求項１記載の多機能放熱シートにおいて、該座体の上部に面板が設置され、該面板上に電子製品の座体上への放置時の座体との直接接触を防止する複数のパッドが設置されたことを特徴とする、多機能放熱シート。
【請求項６】
請求項１記載の多機能放熱シートにおいて、該座体がアルミ材押し出し成形されたことを特徴とする、多機能放熱シート。
【請求項７】
請求項１記載の多機能放熱シートにおいて、該座体の外形は蓋状或いは箱状とされたことを特徴とする、多機能放熱シート。
【請求項８】
請求項１記載の多機能放熱シートにおいて、該送風ファンが遠心式ファンとされたことを特徴とする、多機能放熱シート。
【請求項９】
請求項１記載の多機能放熱シートにおいて、該座体内に空気清浄装置が設置され、該空気清浄装置が殺菌、除臭用のオゾン発生器或いはマイナスイオン発生器のいずれかとされたことを特徴とする、多機能放熱シート。
【請求項１０】
請求項１記載の多機能放熱シートにおいて、該座体の外表面に殺菌、除臭及び掃除回数減少のための光触媒が塗布されたことを特徴とする、多機能放熱シート。
【考案の詳細な説明】
【技術分野】
【０００１】
本考案は一種の多機能放熱シートに係り、特に電子製品の放熱に使用され、並びに使用者に対して送風できる多機能放熱シートに関する。
【背景技術】
【０００２】
一般に携帯式電子製品、例えばノートパソコンは、携帯に便利なように、体積が縮小され、内部空間が有限であり、全ての部品がいずれも緊密に配置され、放熱孔も細小で使用に十分でなく、その底部は多くの場合、卓面に接触するため廃熱が堆積し放出が難しく、厳重に電子製品の使用効果に影響を与え、関係電子部品の寿命を短縮する。
【０００３】
このため業界では電子製品用の放熱パッドを提供しており、該放熱パッドは電子製品底部に敷いて電子製品の放熱を補助し、該放熱パッドの内部には複数のファンが設置され、上端に複数の網孔が設けられ、複数のファンは複数の網孔を通して電子製品底部の空気対流を促進し、電子製品の動作時に発生する余分の廃熱の排除を補助する。
【０００４】
このほか、業界では、改良型の放熱パッドを提供しており、それは放熱パッドの側辺に複数のソケットを設け、電子製品例えば、プリンタ、スキャナなどの電子製品の電源プラグを挿入でき、電子製品使用時に、電線の長さが不十分となったり、或いは幾本もの電線を壁のコンセントまで引くことで電線が絡んだりする状況を防止する。
【０００５】
しかし、このような放熱パッドは電子製品の動作時に発生する廃熱の排除を補助でき、並びに便利なソケット設計を有するが、電子製品の動作時に周囲の空気は高くなり、使用者が電子製品を操作して長時間座っていると、暑苦しく、不快に感じることがある。
【考案の開示】
【考案が解決しようとする課題】
【０００６】
本考案の主要な目的は、一種の多機能放熱シートを提供することにあり、それは電子製品の放熱を補助し、更にその電源或いはケーブルの接続に便利なソケットシートを具え、並びに使用者の暑苦しさを解消できるものとする。
【課題を解決するための手段】
【０００７】
本考案の多機能放熱シートは、電子製品を置いて放熱を行なう座体内に排熱、送風用のファン装置が設けられ、並びに座体側辺に電子製品の電源或いはケーブルの差し込みに供されるソケットシートと、座体内の各装置の回路を制御する制御ユニットが設けられる。
【０００８】
該座体の上部は電子製品を放置するのに供され、並びに放熱面積を増し、空気の対流と熱交換を促進する細密な導熱溝が設けられ、また、座体側辺に少なくとも一つの通風孔が設けられ、並びに座体の使用者に対向する前側に送風口が設けられ、空気が座体内外で自由に流動させる。実施時には、座体外形は箱状構造或いは蓋状構造とされ得る。
【０００９】
上述のファン装置は、少なくとも一つの排熱ファンと送風ファンを包含し、該排熱ファンは座体の導熱溝の底部に固定され、電子製品が座体上に置かれ並びにその動作により発生した廃熱が導熱溝に伝導される時、排熱ファンは通風孔より座体内に流入した比較的低温の空気を導熱溝の底部に向けて吹き送り、導熱溝と周囲の空気の熱交換を加速し、導熱溝に迅速に電子製品に対して排熱、放熱させる。
【００１０】
送風ファンは座体の送風口部分に設置され、送風ファンが回転する時、通風孔より座体に流入した空気は、送風口を通り使用者に吹きつけられ、急速に流動する空気が使用者が長時間座っていることにより、或いは、電子製品に接近しすぎることにより感じる暑苦しさを解消する。実施時、送風ファンは座体の外形に合わせて遠心式ファンを採用可能である。
【００１１】
上述の座体側辺のソケットシートを実施する時、複数の電源ソケットおよびケーブルソケットを包含し、複数の電源ソケットは電子製品、例えばプリンタ、スキャナ等の電源プラグが挿入される。複数のケーブルソケットは、電子製品の信号伝送に常用されるＵＳＢポート、ＲＪ４５コネクタ、Ｄ−ＳＵＢ、ＤＶＩ、ＵＳＢハブ等の規格とされ得て、電子製品使用時に、電線の長さが不十分であることにより電源プラグを電源ソケットに挿入できない状況、或いは規格が同じケーブルアダプタシート或いは拡充スロットを用意する必要が生じるのを防止し、多くの使用上の問題を減らすことができる。
【００１２】
上述の制御ユニットは座体の側辺に設けられてファン装置およびソケットシートと電気的に接続され、制御ユニットは電源に接続されて本考案の動作に必要な電力を提供する。実施時には、制御ユニットは更に複数の押しボタン部を設置可能で、複数の押しボタン部はそれぞれファン装置とソケットシート或いは制御ユニットの電気回路の導通或いは切断を制御する。
【００１３】
使用時に、電子製品は上述の座体の上部の導熱溝上に置かれ、並びに制御ユニットの押しボタン部によりファン装置が駆動され、ファン装置の排熱ファンが導熱溝と周囲の空気の熱交換を加速し、導熱溝に迅速に電子製品の伝導する廃熱を排除させ、送風ファンは空気を使用者の方向に向けて吹き送り、急速に空気を流動させて使用者の、動作中の電子製品に接近しすぎることによる、或いは長く座りすぎることによる、暑苦しさを解消する。このほか、空気清浄装置を組み合わせることが可能で、排熱、送風と同時に空気清浄でき、多機能の目的を達成する。
【００１４】
周知の技術と比較すると、本考案の多機能放熱シートは有効に電子製品の動作時に発生する廃熱を排除でき、使用者に送風することで暑苦しさを解消し、また座体上のソケットシートに電子製品の電源プラグ或いはケーブルプラグを差し込め、多機能の目的を達成する。
【考案の効果】
【００１５】
本考案の多機能放熱シートは、電子製品を置いて放熱を行なう座体内に排熱、送風用のファン装置が設けられ、並びに座体側辺にソケットシートが設けられて電子製品の電源或いはケーブルの差し込みに供される。本考案は有効に電子製品動作時に発生する廃熱を排除し、並びにその線路の接続に便利で、使用者に向けて送風して涼しさを提供し、空気清浄装置を組合せ可能であり、排熱、送風と共に空気清浄機能を有し、多機能の目的を達成する。
【考案を実施するための最良の形態】
【００１６】
図１、２に示されるように、本考案の多機能放熱シートは、電子製品を置いて並びに放熱する座体１０内に、排熱、送風用のファン装置２０が設けられ、並びに座体１０側辺に電子製品の電源或いはケーブルの差し込みに供されるソケットシート３０（図４参照）と、座体１０内の各装置の回路を制御する制御ユニット４０が設けられる。
【００１７】
該座体１０の上部は電子製品を放置するのに供され、並びに放熱面積を増し、空気の対流と熱交換を促進する細密な導熱溝１１が設けられ、また、座体１０側辺に少なくとも一つの通風孔１２が設けられ、並びに座体１０の使用者に対向する前側に送風口１３が設けられ、空気が座体１０内外で自由に流動させる。実施時には、座体１０上部にさらに面板１４が設けられ、該面板１４上に複数のパッド１５が設けられ、電子製品が座体１０上に置かれる時にその底部が直接座体１０に接触して摩損を発生するのを防止する。座体１０外形は箱状構造或いは蓋状構造とされ得る。
【００１８】
上述のファン装置２０は、少なくとも一つの排熱ファン２１と送風ファン２２を包含し、該排熱ファン２１は座体１０の導熱溝１１の底部に固定され、電子製品が座体１０上に置かれ並びにその動作により発生した廃熱が導熱溝１１に伝導される時、排熱ファン２１は通風孔１２より座体１０内に流入した比較的低温の空気を導熱溝１１の底部に向けて吹き送り、導熱溝１１と周囲の空気の熱交換を加速し、導熱溝１１に迅速に電子製品に対して排熱、放熱させる。
【００１９】
送風ファン２２は座体１０の送風口１３部分に設置され、送風ファン２２が回転する時、通風孔１２より座体１０に流入した空気は、送風口１３を通り使用者に吹きつけられ、急速に流動する空気が使用者が長時間座っていることにより、或いは、電子製品に接近しすぎることにより感じる暑苦しさを解消する。実施時、送風ファン２２は座体１０の外形に合わせて遠心式ファンを採用可能である。
【００２０】
図３、４に示されるように、上述の座体１０側辺のソケットシート３０を実施する時、複数の電源ソケット３１およびケーブルソケット３２を包含し、複数の電源ソケット３１は電子製品、例えばプリンタ、スキャナ等の電源プラグが挿入される。複数のケーブルソケット３２は、電子製品の信号伝送に常用されるＵＳＢポート、ＲＪ４５コネクタ、Ｄ−ＳＵＢ、ＤＶＩ、ＵＳＢハブ等の規格とされ得て、電子製品使用時に、電線の長さが不十分であることにより電源プラグを電源ソケットに挿入できない状況、或いは規格が同じケーブルアダプタシート或いは拡充スロットを用意する必要が生じるのを防止し、多くの使用上の問題を減らすことができる。
【００２１】
上述の制御ユニット４０は座体１０の側辺に設けられてファン装置２０およびソケットシート３０と電気的に接続され、制御ユニット４０は電源に接続されて本考案の動作に必要な電力を提供する。実施時には、制御ユニット４０は更に複数の押しボタン部４１を設置可能で、複数の押しボタン部４１はそれぞれファン装置２０とソケットシート３０或いは制御ユニット４０の電気回路の導通或いは切断を制御する。
【００２２】
実施時に、座体１０の内部には空気清浄装置５０が設置され得て、並びに制御ユニット４０の電気回路と導通させられてその運転に必要な電源が獲得され、該空気清浄装置５０はオゾン発生器或いはマイナスイオン発生器とされ得て、オゾンを製造して空気中の病原菌を殺菌し異臭を除去するか、或いはマイナスイオン発生器によりマイナスイオンを放出して空気中の塵埃と結合させることで空気を浄化する。このほか、座体１０の外表面に光触媒を塗布可能であり、短波光のエネルギーにより電子を放出して空気中の酸素ガス及び水分子の構造を改変させて高活性の水酸ラジカルとなし、該水酸ラジカルが光触媒表面に付着した汚れ或いは空気中の病原菌、塵埃と化合して殺菌、除臭、及び掃除回数減少の作用を達成する。
【００２３】
使用時に、電子製品は上述の座体１０の上部の導熱溝１１上に置かれ、並びに制御ユニット４０の押しボタン部４１によりファン装置２０が駆動され、ファン装置２０の排熱ファン２１が導熱溝１１と周囲の空気の熱交換を加速し、導熱溝１１に迅速に電子製品の伝導する廃熱を排除させ、送風ファン２２は空気を使用者の方向に向けて吹き送り、急速に空気を流動させて使用者の、動作中の電子製品に接近しすぎることによる、或いは長く座りすぎることによる、暑苦しさを解消する。
【図面の簡単な説明】
【００２４】
【図１】本考案の立体外観図である。
【図２】本考案の立体分解図である。
【図３】本考案の仰視組合せ立体図である。
【図４】本考案の別角度からの立体図である。
【符号の説明】
【００２５】
１０  座体            １１  導熱溝
１２  通風孔          １３  送風口
１４  面板            １５  パッド
２０  ファン装置      ２１  排熱ファン
２２  送風ファン      ３０  ソケットシート
３１  電源ソケット    ３２  ケーブルソケット
４０  制御ユニット    ４１  押しボタン部
５０  空気清浄装置
【図１】
0003147210.tif 000003
【図２】
0003147210.tif 000004
【図３】
0003147210.tif 000005
【図４】
0003147210.tif 000006